【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
カメラボディに着脱可能に取り付けられる交換レンズであって、
第１伝送路を介して前記カメラボディとの間でデータ通信を行う第１通信部と、
前記第１伝送路とは異なる第２伝送路を介して前記カメラボディとの間でデータ通信を行う第２通信部とを備え、
前記第１伝送路は、前記カメラボディに対して前記第１伝送路を介したデータ通信の開始可否を表す信号が出力される第１信号線と、前記カメラボディからクロック信号が入力される第２信号線と、前記カメラボディからデータ信号が入力される第３信号線と、前記カメラボディに対してデータ信号が出力される第４信号線と、から構成され、
前記第２伝送路は、前記カメラボディから前記第２伝送路を介したデータ通信の開始要求を表す信号が入力される第５信号線と、前記カメラボディに対して前記第２伝送路を介したデータ通信の準備完了を表す信号が出力される第６信号線と、前記カメラボディからデータ通信のためのクロック信号が入力される第７信号線と、前記カメラボディに対してデータ信号が出力される第８信号線と、から構成されることを特徴とする交換レンズ。
【請求項２】
請求項１に記載の交換レンズにおいて、
前記第２通信部は、前記第２伝送路を介したデータ通信を所定間隔毎に繰り返し行うことを特徴とする交換レンズ。
【請求項３】
請求項１または２に記載の交換レンズにおいて、
前記第１通信部は、前記第２通信部による前記第２伝送路を介したデータ通信と並行して、前記第１伝送路を介したデータ通信を行うことが可能であることを特徴とする交換レンズ。
【請求項４】
請求項１〜３のいずれか一項に記載の交換レンズにおいて、
前記第１伝送路は、前記カメラボディに対するデータ信号の出力と並行して前記カメラボディからのデータ信号の入力が可能な全二重の伝送路であることを特徴とする交換レンズ。
【請求項５】
請求項４に記載の交換レンズにおいて、
前記データ信号としてフォーカスレンズの位置に関するレンズデータ信号を前記第８信号線から出力することを特徴とする交換レンズ。
【請求項６】
電子デバイスに着脱可能に取り付けられる交換可能デバイスであって、
第１伝送路を介して前記電子デバイスとの間でデータ通信を行う第１通信部と、
前記第１伝送路とは異なる第２伝送路を介して前記電子デバイスとの間でデータ通信を行う第２通信部とを備え、
前記第１伝送路は、前記電子デバイスに対して前記第１伝送路を介したデータ通信の開始可否を表す信号が出力される第１信号線と、前記電子デバイスからクロック信号が入力される第２信号線と、前記電子デバイスからデータ信号が入力される第３信号線と、前記電子デバイスに対してデータ信号が出力される第４信号線と、から構成され、
前記第２伝送路は、前記電子デバイスから前記第２伝送路を介したデータ通信の開始要求を表す信号が入力される第５信号線と、前記電子デバイスに対して前記第２伝送路を介したデータ通信の準備完了を表す信号が出力される第６信号線と、前記電子デバイスからデータ通信のためのクロック信号が入力される第７信号線と、前記電子デバイスに対してデータ信号が出力される第８信号線と、から構成されることを特徴とする交換可能デバイス。
【請求項７】
請求項６に記載の交換可能デバイスにおいて、
前記第２通信部は、前記第２伝送路を介したデータ通信を所定間隔毎に繰り返し行うことを特徴とする交換可能デバイス。
【請求項８】
請求項７に記載の交換可能デバイスにおいて、
前記第１通信部は、前記第２通信部による前記第２伝送路を介したデータ通信と並行して、前記第１伝送路を介したデータ通信を行うことが可能であることを特徴とする交換可能デバイス。
【請求項９】
請求項８に記載の交換可能デバイスにおいて、
前記第１伝送路は、前記電子デバイスに対するデータ信号の出力と並行して前記電子デバイスからのデータ信号の入力が可能な全二重の伝送路であることを特徴とする交換可能デバイス。
【請求項１０】
交換レンズが着脱可能に取り付けられるカメラボディであって、
第１伝送路を介して前記交換レンズとの間でデータ通信を行う第１通信部と、
前記第１伝送路とは異なる第２伝送路を介して前記交換レンズとの間でデータ通信を行う第２通信部とを備え、
前記第１伝送路は、前記交換レンズから前記第１伝送路を介したデータ通信の開始可否を表す信号が入力される第１信号線と、前記交換レンズにクロック信号を出力する第２信号線と、前記交換レンズにデータ信号を出力する第３信号線と、前記交換レンズからデータ信号が入力される第４信号線と、から構成され、
前記第２伝送路は、前記交換レンズに前記第２伝送路を介したデータ通信の開始要求を表す信号を出力する第５信号線と、前記交換レンズから前記第２伝送路を介したデータ通信の準備完了を表す信号が入力される第６信号線と、前記交換レンズにデータ通信のためのクロック信号を出力する第７信号線と、前記交換レンズからデータ信号が入力される第８信号線と、から構成されることを特徴とするカメラボディ。
【請求項１１】
請求項１０に記載のカメラボディにおいて、
前記第２通信部は、前記第２伝送路を介したデータ通信を所定間隔毎に繰り返し行うことを特徴とするカメラボディ。
【請求項１２】
請求項１１に記載のカメラボディにおいて、
前記第１通信部は、前記第２通信部による前記第２伝送路を介したデータ通信と並行して、前記第１伝送路を介したデータ通信を行うことが可能であることを特徴とするカメラボディ。
【請求項１３】
請求項１２に記載のカメラボディにおいて、
前記第１伝送路は、前記交換レンズからのデータ信号の入力と並行して前記交換レンズへのデータ信号の出力が可能な全二重の伝送路であることを特徴とするカメラボディ。
【請求項１４】
交換可能デバイスが着脱可能に取り付けられる電子デバイスであって、
第１伝送路を介して前記交換可能デバイスとの間でデータ通信を行う第１通信部と、
前記第１伝送路とは異なる第２伝送路を介して前記交換可能デバイスとの間でデータ通信を行う第２通信部とを備え、
前記第１伝送路は、前記交換可能デバイスから前記第１伝送路を介したデータ通信の開始可否を表す信号が入力される第１信号線と、前記交換可能デバイスにクロック信号を出力する第２信号線と、前記交換可能デバイスにデータ信号を出力する第３信号線と、前記交換可能デバイスからデータ信号が入力される第４信号線と、から構成され、
前記第２伝送路は、前記交換可能デバイスに前記第２伝送路を介したデータ通信の開始要求を表す信号を出力する第５信号線と、前記交換可能デバイスから前記第２伝送路を介したデータ通信の準備完了を表す信号が入力される第６信号線と、前記交換可能デバイスにデータ通信のためのクロック信号を出力する第７信号線と、前記交換可能デバイスからデータ信号が入力される第８信号線と、から構成されることを特徴とする電子デバイス。
【請求項１５】
請求項１４に記載の電子デバイスにおいて、
前記第２通信部は、前記第２伝送路を介したデータ通信を所定間隔毎に繰り返し行うことを特徴とする電子デバイス。
【請求項１６】
請求項１５に記載の電子デバイスにおいて、
前記第１通信部は、前記第２通信部による前記第２伝送路を介したデータ通信と並行して、前記第１伝送路を介したデータ通信を行うことが可能であることを特徴とする電子デバイス。
【請求項１７】
請求項１６に記載の電子デバイスにおいて、
前記第１伝送路は、前記交換可能デバイスからのデータ信号の入力と並行して前記交換可能デバイスへのデータ信号の出力が可能な全二重の伝送路であることを特徴とする電子デバイス。
【手続補正２】
【補正対象書類名】明細書
【補正対象項目名】発明の名称
【補正方法】変更
【補正の内容】
【発明の名称】交換レンズ、交換可能デバイス、カメラボディおよび電子デバイス
【手続補正３】
【補正対象書類名】明細書
【補正対象項目名】０００１
【補正方法】変更
【補正の内容】
【０００１】
本発明は、交換レンズ、交換可能デバイス、カメラボディおよび電子デバイスに関する。
【手続補正４】
【補正対象書類名】明細書
【補正対象項目名】０００６
【補正方法】変更
【補正の内容】
【０００６】
請求項１に係る発明は、カメラボディに着脱可能に取り付けられる交換レンズであって、第１伝送路を介してカメラボディとの間でデータ通信を行う第１通信部と、第１伝送路とは異なる第２伝送路を介してカメラボディとの間でデータ通信を行う第２通信部とを備え、第１伝送路は、カメラボディに対して第１伝送路を介したデータ通信の開始可否を表す信号が出力される第１信号線と、カメラボディからクロック信号が入力される第２信号線と、カメラボディからデータ信号が入力される第３信号線と、カメラボディに対してデータ信号が出力される第４信号線と、から構成され、第２伝送路は、カメラボディから第２伝送路を介したデータ通信の開始要求を表す信号が入力される第５信号線と、カメラボディに対して第２伝送路を介したデータ通信の準備完了を表す信号が出力される第６信号線と、カメラボディからデータ通信のためのクロック信号が入力される第７信号線と、カメラボディに対してデータ信号が出力される第８信号線と、から構成されることを特徴とする交換レンズである。
請求項６に係る発明は、電子デバイスに着脱可能に取り付けられる交換可能デバイスであって、第１伝送路を介して電子デバイスとの間でデータ通信を行う第１通信部と、第１伝送路とは異なる第２伝送路を介して電子デバイスとの間でデータ通信を行う第２通信部とを備え、第１伝送路は、電子デバイスに対して第１伝送路を介したデータ通信の開始可否を表す信号が出力される第１信号線と、電子デバイスからクロック信号が入力される第２信号線と、電子デバイスからデータ信号が入力される第３信号線と、電子デバイスに対してデータ信号が出力される第４信号線と、から構成され、第２伝送路は、電子デバイスから第２伝送路を介したデータ通信の開始要求を表す信号が入力される第５信号線と、電子デバイスに対して第２伝送路を介したデータ通信の準備完了を表す信号が出力される第６信号線と、電子デバイスからデータ通信のためのクロック信号が入力される第７信号線と、電子デバイスに対してデータ信号が出力される第８信号線と、から構成されることを特徴とする交換可能デバイスである。
請求項１０に係る発明は、交換レンズが着脱可能に取り付けられるカメラボディであって、第１伝送路を介して交換レンズとの間でデータ通信を行う第１通信部と、第１伝送路とは異なる第２伝送路を介して交換レンズとの間でデータ通信を行う第２通信部とを備え、第１伝送路は、交換レンズから第１伝送路を介したデータ通信の開始可否を表す信号が入力される第１信号線と、交換レンズにクロック信号を出力する第２信号線と、交換レンズにデータ信号を出力する第３信号線と、交換レンズからデータ信号が入力される第４信号線と、から構成され、第２伝送路は、交換レンズに第２伝送路を介したデータ通信の開始要求を表す信号を出力する第５信号線と、交換レンズから第２伝送路を介したデータ通信の準備完了を表す信号が入力される第６信号線と、交換レンズにデータ通信のためのクロック信号を出力する第７信号線と、交換レンズからデータ信号が入力される第８信号線と、から構成されることを特徴とするカメラボディである。
請求項１４に係る発明は、交換可能デバイスが着脱可能に取り付けられる電子デバイスであって、第１伝送路を介して交換可能デバイスとの間でデータ通信を行う第１通信部と、第１伝送路とは異なる第２伝送路を介して交換可能デバイスとの間でデータ通信を行う第２通信部とを備え、第１伝送路は、交換可能デバイスから第１伝送路を介したデータ通信の開始可否を表す信号が入力される第１信号線と、交換可能デバイスにクロック信号を出力する第２信号線と、交換可能デバイスにデータ信号を出力する第３信号線と、交換可能デバイスからデータ信号が入力される第４信号線と、から構成され、第２伝送路は、交換可能デバイスに第２伝送路を介したデータ通信の開始要求を表す信号を出力する第５信号線と、交換可能デバイスから第２伝送路を介したデータ通信の準備完了を表す信号が入力される第６信号線と、交換可能デバイスにデータ通信のためのクロック信号を出力する第７信号線と、交換可能デバイスからデータ信号が入力される第８信号線と、から構成されることを特徴とする電子デバイスである。